(57)【要約】【課題】排水量の少ない場合でも、毛髪などのゴミが、排水目皿の中央である下段部（底部）まで誘導して集中的に堆積して捕集し、排水目皿の清掃の際に、捕集ゴミを取り除き易くする、取り扱いが簡単な排水目皿を実現する。【解決手段】排水目皿１において、上方から下方に向けて、環状の平面部２、上段部３及び下段部４を備えており、平面部２と上段部３は上部周壁８を介して連成されており、上段部３と下段部４は下部周壁１２を介して連成されており、平面部２には取手部６が起立して設けられ、下段部４にはリブ１４が形成されている。排水は、平面部２から上段部３に流入し、上段部３に沿って旋回して流れ、排水と同時に流れてきた毛髪などのゴミを、上段部３などに引っかかって付着させることなく、排水目皿１の中心部である下段部４に誘導して堆積させる。【選択図】図１
2010255345.tif 000002
【特許請求の範囲】
【請求項１】
ゴミを捕集させる捕集部を有した排水目皿において、排水孔を有する上段部と下段部の複数の段部を備え、上段部よりもさらに上部には平面部を備えたことを特徴とする排水目皿。
【請求項２】
上段部と下段部を立ち上り部で接続し、その一部に孔なし部を形成することを特徴とする請求項１に記載の排水目皿。
【請求項３】
立ち上り部の孔なし部は下段部寄りに位置していることを特徴とする請求項２に記載の排水目皿。
【請求項４】
下段部にリブが形成されていることを特徴とする請求項１〜３のいずれかに記載の排水目皿。
【発明の詳細な説明】
【技術分野】
【０００１】
本発明は、毛髪、繊維くず、その他のゴミを捕集するゴミ捕集部を有し、例えば、浴室や洗面化粧台の排水部に設置する排水目皿（ヘアキャッチャー）に関する。
【背景技術】
【０００２】
従来、浴室の排水部などに取り付けられ、排水のみを通して毛髪やその他のゴミを捕集するものとして、図７（ａ）、（ｂ）に示すような構成の排水目皿が知られている。この排水目皿４０は、排水口への取り付け機能を有しかつ網目状排水孔４１を有する平坦なフランジ部４２と、逆円錐台曲面からなる傾斜壁面４３と、網目状排水孔４４を有する底部４５と、底部４５に設けられた取手４６とから構成されている。この底部４５は、排水する機能とゴミを捕集する捕集部として機能を有する。
【０００３】
さらに、浴室の排水口に設置するヘアキャッチャーにおいて、排水誘導部と排水受け部を設けて、排水に含まれる毛髪などを、排水孔を設けた排水部上の一箇所にまとめて堆積させるものが知られている（特許文献１参照）。
【先行技術文献】
【特許文献】
【０００４】
【特許文献１】特開２００９−７７８４号公報
【発明の概要】
【発明が解決しようとする課題】
【０００５】
従来の排水目皿は、例えば、図７（ａ）、（ｂ）において、排水量が多く、流れの勢いが強い場合は、排水の多くは排水目皿４０の中央である底部４５まで流れて網目状排水孔４４を通って排出されるので、排水と同時に流れてくる毛髪などのゴミも底部４５まで誘導されて捕集される。
【０００６】
しかしながら、排水量の少ない場合は、フランジ部４２の網目状排水孔４１からも多くの排水が排出されるために、同時に流れてくる毛髪などのゴミは底部４５まで誘導されにくくなり、フランジ部４２や傾斜壁面４３などに引っかかって付着してしまい、底部４５にゴミを堆積して捕集しにくくなり、排水目皿４０の清掃が面倒であるいう問題があった。
【０００７】
本発明は、排水量の少ない場合でも、排水と同時に流れてくる毛髪などのゴミが、排水目皿の中央である底部（本発明では下段部）になるべく堆積して捕集されるようにして、排水目皿の清掃の際に、捕集ゴミを底部から一括して取り除くことで、清掃し易くする構成、及び取り扱いが簡単な排水目皿実現することを課題とする。
【課題を解決するための手段】
【０００８】
本発明は上記課題を解決するために、ゴミを捕集させる捕集部を有した排水目皿において、排水孔を有する上段部と下段部の複数の段部を備え、上段部よりもさらに上部には平面部を備えたことを特徴とする排水目皿を提供する。
【０００９】
上段部と下段部を立ち上り部で接続し、その一部に孔なし部を形成することが好ましい。
【００１０】
立ち上り部の孔なし部は下段部寄りに位置していることが好ましい。
【００１１】
下段部にリブが形成されていることが好ましい。
【発明の効果】
【００１２】
本発明の排水目皿は、平面部と捕集部の下段部との間に、中間の段部として上段部を設けたので、排水量が少ないときでも、排水の回転流の勢いと浮力により、毛髪などのゴミが下段部に流れ落ちて堆積され捕集されるので、捕集ゴミを下段部から一括して取り除き易くなり清掃がし易くなる。
【図面の簡単な説明】
【００１３】
【図１】本発明の排水目皿の実施例１の構成を示す斜視図である。
【図２】本発明の排水目皿の実施例１の構成を示す図であり、（ａ）は平面図であり、（ｂ）は（ａ）のＡ−Ａ断面図である。
【図３】実施例１において、（ａ）は排水ケースなどを排水口に取り付けた状態を示す図であり、（ｂ）はさらに排水目皿を排水口に取り付けた状態を示す図である。
【図４】（ａ）〜（ｄ）は、実施例１の作用を説明する図である。
【図５】本発明の排水目皿の実施例２の構成を示す図であり、（ａ）は斜視図であり、（ｂ）は断面図である。
【図６】本発明の排水目皿の実施例３の構成を示す図であり、（ａ）は斜視図であり、（ｂ）は平面図であり、（ｃ）は（ｂ）のＡ−Ａ断面図である。
【図７】排水目皿の従来例を説明する図であり、（ａ）は斜視図であり、（ｂ）は断面図である。
【発明を実施するための形態】
【００１４】
本発明に係る排水目皿を実施するための形態を実施例に基づき図面を参照して、以下説明する。
【実施例１】
【００１５】
図１〜４は、本発明に係る排水目皿の実施例１を説明する図である。本発明に係る排水目皿１は、環状の平面部２、上段部３及び下段部４を有し、図１及び図２に示すように、全体的にはほぼ皿状に形成されている。
【００１６】
平面部２は、この実施例１では、排水目皿１において、径方向に水平に張りだした平坦な面を有する環状のフランジとして形成されており、浴室の洗い場などの排水口５への取り付け面となる（図３（ｂ）参照）。平面部２は、図７に示す従来の排水目皿１のフランジ部４２に相当するが、特に排水孔（図７の網目状排水孔４１参照）は形成されておらず、排水を上段部３へ導入する部分となる。排水目皿１の平面部２には、取手部６が起立して一体で設けられている。
【００１７】
図２（ｂ）に示すように、平面部２は、その内周縁において下方に向けて曲げられる曲げ部７を介して、環状の上部周壁８に連続している。上部周壁８は、垂直面又は傾斜面で形成されている。上部周壁８の外面には、該外面に沿って湾曲状に突縁９が形成されている。この突縁９は、後記するが、排水口５に取り付ける際にアダプタ１０に嵌着される。
【００１８】
本件発明者は、本発明の開発における排水目皿１の試作過程において、平面部２から下方に流れ落ちる排水の曲げ部７との接触面積を小さくすることで、排水と曲げ部７との摩擦を小さくして、排水の流れ落ちる流速が遅くならないようにすることができ、そのために、この曲げ部７の曲率半径は５ｍｍ以下であることが好ましい、という知見を得ている。
【００１９】
上部周壁８の下端から水平に曲げられて、上段部３に連続している。この上段部３は、排水目皿１において、最上部である平面部２と、最下部である下段部４（底部）との間の高さに位置する、いわば中間の段部であり、このような中間の段部を設けた構成が、本発明の主な特徴である。上段部３には、複数の排水孔１１が設けられており、上段部３に沿って流れる排水の一部が通過可能に構成されている。なお、本実施例１では、上段部３（中間の段部）は、１段しか設けないが複数段設けた構成としてもよい。
【００２０】
ところで、平面部２と上段部３との高低差、即ち、環状の上部周壁８の高さが大きいと、排水量が少なく排水の流れの勢いが弱くなった場合に、排水と同時に流れてきた毛髪などのゴミが上部周壁８の内面に付着したりして、下方に流れ落ちにくくなくなる。そこで、本発明者は、排水目皿１をいろいろ試作した結果、上部周壁８の内面に付着しにくく、下方の上段部３へ排水とともに流れ易くするためには、平面部２と上段部３との高低差を１０ｍｍ以内とすることが好ましい、という知見を得ている。
【００２１】
上段部３は、その内周縁から下方に向けて形成され、立ち上がり部（以下、「下部周壁」という）１２に連続し、さらに、下部周壁１２の下端は水平に向けて形成され、下段部４に連続している。下部周壁１２は、垂直面又は傾斜面で形成され、排水孔は形成されていない。
【００２２】
下段部４は、排水目皿１の底部に相当する部分であり、複数の排水孔１３が形成されており、この排水孔１３を通過させ排水を排出するとともに、ゴミを捕集する機能を有する。下段部４は、その上面に同心円状に複数の環状のリブ１４が上に凸に形成されており、互いに隣接するリブ１４の間に、上記複数の排水孔１３が周方向に間隔をおいて形成されている。リブ１４は、捕集したゴミが下段部４の表面に密着しにくくして、排水目皿１の清掃の際に、ゴミを取り除き易くするとともに、下段部４の強度を向上する機能を有する。
【００２３】
（作用）
以上の構成から成る排水目皿１を排水口５へ装着するための構成、及び排水目皿１の作用について、図３及び図４を中心にして以下説明する。排水口５に排水ケース１５が装着され、この排水ケース１５に排水目皿１を装着する。具体的には次の通りである。
【００２４】
図３（ａ）に示すように、排水ケース１５のフランジ１６とアダプタ１０のフランジ１７との間に、シール１８を介して、排水口５に形成された棚部１９を挟んだ状態とする。そして、排水ケース１５の内周面に形成されたネジ２０に、上方からアダプタ１０の外周面に形成されたネジ２１を螺合し、棚部１９を締め付けるようにして、アダプタ１０を排水ケース１５のフランジ１６に締着する。これにより、排水ケース１５は、排水口５内に設置される。この排水ケース１５内には、下端が開口した排水筒２２が、その上端部をシール２３を介してアダプタ１０の下端フランジ２４に引っかけて装着される。
【００２５】
そして、図３（ｂ）に示すように、排水目皿１の外面に形成された湾曲状の突縁９を、アダプタ１０の内面に周方向に隔設された受け溝２５に、水平回動するようにして装入し、排水目皿１アダプタ１０に装着する。これにより、排水目皿１は、排水ケース１５に取り付けることができる。
【００２６】
図３（ｂ）に示すように、排水蓋２６の周囲から排水口５内に流れ込んだ排水は、排水目皿１の平面部２に沿って流れ、さらに上部周壁８に案内されて上段部３の表面に沿って旋回流となって流れる。さらに、排水は、上段部３から下段部４に流れ落ち、複数の排水孔１３を通過して排水筒２２内に排出される。そして、排水は排水筒２２の下方から排水ケース１５の堰部２７を越えて外側に流れて、排出管２８から排水路などに排出される。
【００２７】
排水とともに排水目皿１内に流れ込み、下段部４の排水孔１３を通過できないゴミは、下段部４で捕集される。そして、排水目皿１を清掃する際には、排水目皿１をアダプタ１０から取り外して下段部４に捕集されたゴミを取り除けばよい。
【００２８】
本発明の排水目皿１において上段部３を設けたことによる作用を、図４によって、さらに詳細に説明する。図４（ａ）〜（ｄ）は、排水目皿１における排水と同時に流れてきた毛髪２９が、下段部４まで流されて誘導される状態を順次示す図である。図４（ａ）〜（ｄ）の白抜き矢印で示すように、排水目皿１内に流れ込んだ排水は、上段部３上を上部周壁８に沿うようにして旋回して流れながら、下段部４内に流れ落ちる。
【００２９】
図４（ａ）は、毛髪２９が排水目皿１の平面部２にさしかかった状態を示し、この毛髪２９は、図４（ｂ）に示すように、上段部３上を上部周壁８に沿うよう旋回して流れる排水とともに流れる。そして、図４（ｃ）に示すように、毛髪２９が上段部３上を流れている時には、排水の旋回流の勢いと浮力が毛髪２９に作用し、毛髪２９は上段部３に付着するようなことなく浮きながら排水とともに流される。そして、図４（ｄ）に示すように、毛髪２９は、下段部４に誘導されて捕集される。
【００３０】
以上のとおり、本発明の排水目皿１は、最上段の環状のフランジとして形成された平面部２の下方に、上段部３を設けたので、排水量が少ない場合でも、排水が上段部３を旋回流として流れ易くなり、毛髪などのゴミに対して旋回流の勢いと排水の浮力を作用させながら流して、下段部４へ誘導していく。その結果、この排水目皿１では、毛髪などのゴミが、上段部３の表面に付着しにくく、また上段部３の排水孔１１内に入り込んで詰まるようなことも生じにくい。
【００３１】
従って、図７に示すようなフランジ部４２と底部４５から成る従来の排水目皿４０に較べて、本発明の排水目皿１によると、毛髪などのゴミが、排水目皿１に沿って流れている際に、途中で排水目皿１の上段部３等に付着したり引っかかったりすることが少なくなり、捕集されるべき下段部４において、より多くが捕集されやすくなる。
【００３２】
そして、排水目皿１の曲げ部７の曲率半径を５ｍｍ以下とすれば、平面部２から下方に流れ落ちる排水の曲げ部７の表面との接触面積が小さくなるため、排水と曲げ部７との摩擦が少なくなり、流れ落ちる排水の流速が比較的遅くなりにくい。その結果、ゴミが上段部３や上部周壁８、下部周壁１２などに付着しにくくなり、効果的に下段部４に流して誘導することができる。
【００３３】
また、平面部２と上段部３との高低差を１０ｍｍ以内とすれば、毛髪などのゴミが上部周壁８の近辺を流れ落ちる時間が短くなるので、上部周壁８へ付着しにくくなり、平面部２から下方の上段部３へと排水とともに流れ易くなる。
【００３４】
さらに、下段部４の表面にリブ１４を形成すれば、下段部４に捕集された毛髪などのゴミが、下段部４の表面に直に密着して付着しにくくなり、排水目皿１の清掃に際しても、ゴミを簡単に取り除くことが可能となり、また、下段部４の強度が大きくなる。
【実施例２】
【００３５】
図５（ａ）、（ｂ）は、本発明に係る排水目皿の実施例２を説明する図である。この実施例２は、実施例１とほぼ同じ構成であるが、排水目皿の下部周壁の構成において異なる。以下、実施例２について、実施例１と異なる下部周壁の構成を中心に説明し、実施例１と同じ構成は符号を同じとし、その構成の説明を省略する。
【００３６】
上記実施例１においては、その排水目皿１の下部周壁１２には、図１及び図２（ｂ）に示すように排水孔は形成されていない。しかし、この実施例２では、排水目皿１’の下部周壁１２’における上部には、複数の矩形の排水孔１２’−１が周方向に間隔をおいて形成されている。この排水孔１２’−１は、実施例２では矩形の形状の孔（角孔）であるが、丸い形状の孔（丸孔）であってもよい。
【００３７】
そして、排水目皿１’の下部周壁１２’におけるほぼ下半分には、孔なし部１２’−２が形成されている。要するに、下部周壁１２’には、複数の排水孔１２’−１が形成されているとともに、その一部に孔なし部１２’−２が形成されている。
【００３８】
実施例２では、上記のとおり、排水目皿１’の下部周壁１２’に複数の排水孔１２’−１を設けたので、排水孔を設けない構成に比較して大きな排水量が確保できる。従って、排水口５からの排水される量が多い状態でも、十分に対応可能である。しかも、排水目皿１’の下部周壁１２’におけるほぼ下半分には、孔なし部１２’−２が形成されているので、下部周壁１２’における下段部４付近には、毛髪などのゴミがへばりつきにくくなり、下段部４において、より一括して捕集されやすくなる。
【実施例３】
【００３９】
図６（ａ）〜（ｃ）は、本発明に係る排水目皿の実施例３を説明する図である。この実施例３は、実施例１とほぼ同じ構成であるが、取手部の構成において一部異なる。以下、実施例３について、実施例１と異なる取手部の構成を中心に説明し、実施例１と同じ構成は符号を同じとし、その構成の説明を省略する。
【００４０】
実施例３の排水目皿３０においては、その取手部３１は、その下部に偏向部３２が一体に形成されている構成を特徴としている。偏向部３２は、上段部３の上に排水目皿３０の中心に向けて張り出すように台状に形成されている。偏向部３２は、左右の側壁３３、正面壁３４及び頂壁３５を備え、内部は、図６（ｃ）に断面図を示すように、空洞に形成されている。頂壁３５を上下方向に貫通して通孔３６が形成されており、この通孔３６は、排水目皿１の下方に連通している。
【００４１】
実施例３の排水目皿３０の作用は、実施例１とほぼ同じであるが、偏向部３２により、次のような作用が生じる。即ち、上段部３を旋回して流れる排水は、偏向部３２の側壁３３によって排水目皿１の中心に向けて偏向され、下段部４に流れ込む。これにより、排水と同時に流れてきた毛髪などのゴミをより積極的に、下段部４偏向して誘導することが可能となる。
【００４２】
また、排水量が多く、排水が頂壁３５を超えてさらに上方まで浸かったような場合は、排水はオーバーフローして通孔３６を通り、直に排水ケース内の排水筒（ここでは図示しないが、実施例１の図３参照）内に排出される。下部周壁には実施例２と同様の排水孔を設けてもよい。
【００４３】
以上、本発明に係る排水目皿を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係る排水目皿は上記のような構成であるから、浴室の洗い場の床に設けた排水口だけでなく、洗面ボウル、キッチンのシンクなどの排水口にも適用可能である。
【符号の説明】
【００４５】
（実施例１）
１  排水目皿                   
２  環状の平面部               
３  上段部                     
４  下段部                     
５  排水口                     
６  取手部                     
７  曲げ部                     
８  上部周壁                   
９  突縁                       
１０  アダプタ                 
１１  上段部の排水孔           
１２  下部周壁                 
１３  下段部の排水孔           
１４  リブ                     
１５  排水ケース               
１６  排水ケースのフランジ 
１７  アダプタのフランジ                
１８  シール                   
１９  棚部                     
２０  ネジ                     
２１  ネジ                     
２２  排水筒                   
２３  シール                   
２４  アダプタの下端フランジ             
２５  アダプタの受け溝         
２６  排水蓋                   
２７  堰部                     
２８  排出管                   
２９  毛髪 
（実施例２）
１’  排水目皿
１２’  下部周壁
１２’−１  下部周壁の排水孔
１２’−２    孔なし部               
（実施例３）                   
３０  排水目皿                   
３１  取手部                     
３２  偏向部                     
３３  偏向部の左右の側壁         
３４  偏向部の正面壁             
３５  偏向部の頂壁             
３６  頂壁の通孔                       
（従来例）
４０  排水目皿
４１  フランジ部の網目状排水孔
４２  フランジ部
４３  傾斜壁面
４４  底部の網目状排水孔
４５  底部
４６  取手
【図１】
2010255345.tif 000003
【図２】
2010255345.tif 000004
【図３】
2010255345.tif 000005
【図４】
2010255345.tif 000006
【図５】
2010255345.tif 000007
【図６】
2010255345.tif 000008
【図７】
2010255345.tif 000009